(57)【要約】ビデオ信号を処理することでビデオ画像をエンハンスする方法は、ビデオ信号を入力すること、その色相が二次色に近くなったときにビデオ信号の色飽和又は明度をブーストすること、及び／又は１以上の二次色に向けてビデオ信号の色相をシフトすることを含んでいる。これは、たとえば、原色をブーストしない間、シアン及び黄色をブーストすることで、二次色の表現のエンハンスメントを生成する。
2007524298.tif 000002
【特許請求の範囲】
【請求項１】
ビデオ画像をエンハンスする方法であって、
ビデオ信号を入力するステップと、
二次色に近くなるように前記ビデオ信号の色相をシフトするステップと、
を含むことを特徴とする方法。
【請求項２】
赤、緑及び青（ＲＧＢ）から色相、明度及び飽和度（ＨＬＳ）に前記ビデオ信号を変換するステップを含む、
請求項１記載の方法。
【請求項３】
前記ビデオ信号を等価なＨＬＳ空間に変換するステップを含む、
請求項２記載の方法。
【請求項４】
赤、緑及び青（ＲＧＢ）から色相、明度及び飽和度（ＨＬＳ）に前記ビデオ信号を変換するステップを含む、
請求項１記載の方法。
【請求項５】
前記入力信号を等価なＨＬＳ空間に変換するステップを含む、
請求項１記載の方法。
【請求項６】
ビデオ画像をエンハンスする方法であって、
ビデオ画像を表すビデオ信号を入力するステップと、
色飽和及び二次色への前記ビデオ信号の色相の近さの関数として、前記ビデオ信号の色飽和を増加するステップと、
を含むことを特徴とするビデオ画像をエンハンスする方法。
【請求項７】
前記ビデオ信号が色相において二次色に近くなると、その色飽和が増加される、
請求項６記載の方法。
【請求項８】
原色の色飽和が増加されない間に、前記入力ビデオ信号におけるシアン及び黄色の色飽和が増加される、
請求項７記載の方法。
【請求項９】
前記入力ビデオ信号におけるマゼンダ色の色飽和が増加される、
請求項９記載の方法。
【請求項１０】
ビデオ画像をエンハンスする方法であって、
前記画像を表すビデオ信号を入力するステップと、
明度及び二次色への前記ビデオ信号の色相の近さの関数として、前記ビデオ信号の明度を増加するステップと、
を含むことを特徴とする方法。
【請求項１１】
前記ビデオ信号が色相において二次色に近くなると、その明度が増加される、
請求項１０記載の方法。
【請求項１２】
原色の明度が増加されない間に、前記入力ビデオ信号におけるシアン及び黄色の明度が増加される、
請求項１１記載の方法。
【請求項１３】
前記入力ビデオ信号におけるマゼンダ色の明度が増加される、
請求項１２記載の方法。
【発明の詳細な説明】
【技術分野】
【０００１】
本発明は、知覚される画質に関し、より詳細には、テレビジョン又は他のビデオディスプレイにおいて知覚される画像の色品質の改善に関する。
【背景技術】
【０００２】
殆ど全てのディスプレイは、通常は赤、緑及び青である３原色の混合により色を表示している。しかし、３色ディスプレイの色範囲（gamut）は、自然に発生する色のフルレンジをカバーしない。また、ダイ及びインクによる紙への印刷により達成される色の範囲をカバーしない。この理由のため、たとえばＷＴＯ特許はＷＯ０１９５５４４，ＷＯ０２５０７６３及びこれらで引用されるリファレンスといった多数の提案は、更なる電子ディスプレイにおける３色を超える色を使用するディスプレイ及びディスプレイシステムについて存在する。このアプローチは、表示可能な色の色範囲を効果的に増加する。しかし、ペナルティは、ディスプレイの複雑さにおける著しい増加、及び要求されるデータ処理において増加される複雑さである。
【０００３】
多原色（すなわち３色を超える）ディスプレイは、標準的なソースが使用されるときでさえ、ビデオ画像の近くされる品質をエンハンスすることが分かっている。標準的なビデオソースは、多数の原色を考慮したセンサ又はビデオデータパスを一般に使用しない。さらに、信号がＲＧＢ（赤、緑、青）データ処理を通過する場合、３色の範囲の外にある色の情報が失われる。したがって、より広い色範囲の画質へのエンハンスメントは、ビデオデータの歪み又は伸張から起因し、より正確な色データの表現から起因するものではない。
【０００４】
また、全体の色飽和における増加がビデオ画像の知覚を改善することも知られている。したがって、ビデオマテリアルのスタジオプロダクション又はポストプロダクションは、色飽和のブーストを典型的に利用する。飽和制御は、ディスプレイレベルにも含まれる。ユーザは、ディスプレイの飽和レベルを設定し、平均的な視聴者に対して最も好適な画像を与えるためにマーカによりデフォルトポジションが選択される。
【発明の開示】
【発明が解決しようとする課題】
【０００５】
基本的なディスプレイのハードウェアの変更を必要とすることなしに、ビデオ信号の処理を通してビデオ画像をエンハンスすることが望まれる。また、更なる原色を追加する大きな複雑さなしに、多原色ディスプレイの主要な利点の多くを達成することが望まれる。
【課題を解決するための手段】
【０００６】
１以上のこれらの問題に対処するため、色がシアン、マゼンダ及び黄色の二次色に含まれるか、二次色の近くにあるとき、画像をブーストする信号処理を提案する。これは、あらゆる場所で色をエンハンスする全体的な飽和ブーストよりも効果的である。
【０００７】
１以上のこれらの問題に対処するため、本発明の１つの態様では、ビデオ画像をエンハンスする方法は、ビデオ信号を入力すること、二次色に近くなる信号の色相をシフトすることを含む。
【０００８】
本発明の別の態様では、ビデオ画像をエンハンスする方法は、画像を表すビデオ信号を入力するステップ、二次色へのそれらの色相の近さの関数として、ビデオ信号の色飽和（color  saturation）を増加するステップを含む。
【０００９】
本発明の別の態様では、ビデオ画像をエンハンスする方法は、画像を表すビデオ信号を入力するステップ、二次色へのそれらの色相の近さの関数として、ビデオ信号の明度（lightness）を増加するステップを含む。  
添付図面は、これらの作用を例示するものである。
【発明を実施するための最良の形態】
【００１０】
多原色ディスプレイによる経験から、大部分の顕著なエンハンスメントは、飽和された、及び強いシアン及び黄色を表示する能力から得られる。これら主要な観察に基づいて、データがこれらの領域における色を求めるときに、画像をブーストすることが望まれる。さらに、マゼンダ領域におけるブーストも有益な場合がある。したがって、本発明を実現する１つの方法は、所望の色について到来する信号を調べ、シアン、マゼンダ及び黄色の二次色の領域をエンハンスすることである。しかし、色が赤、緑及び青の原色の近くにある場合、エンハンスメントが適用されない。
【００１１】
この説明のため、色相（Hue）、明度（Lightness）及び飽和（Saturation）（ＨＬＳ）に関して画像が調べられる。信号は、ＲＧＢ（赤、緑、青）からＨＬＳに変換される場合がある。代替的に、信号は、ＹＣＣ，ＹＵＶのような他の一般的なフォーマットから等価なＨＬＳスペースに変換される場合がある。以下の説明では、明度及び飽和スケールは、０と１との間で正規化され、色相信号は、０と３６０との間にあり、０は赤、１２０は緑、及び２４０は青である。
【００１２】
画像の二次色をエンハンスする１つの方法は、色相信号が（原色とは対照的に）二次色の近くにあるときに、色の飽和が増加されるように、ビデオ信号を処理することである。逆に、色相信号が原色の近くにあるとき、データに適用される変化はない。結果的に得られる飽和信号は、到来する飽和及び色相の関数である。たとえば、
【００１３】
【数１】
2007524298.tif 000003
ここで正弦関数は°（degree）で評価される。飽和関数は、図１において以下に示される。フラットプレーンは、信号における変化がないことを示している。
【００１４】
二次色をエンハンスする別の方法は、色相が１以上の二次色に近づくとき、明度（明るさ（brightness）、ルミナンス（luminance））におけるブーストを低減することで、二次色を強調することである。たとえば、
【００１５】
【数２】
2007524298.tif 000004
明度に対するエンハンスメントは、飽和信号に対するブーストと同様に強くない。
【００１６】
二次色をエンハンスする別の方法は、１以上の二次色に向けて色相を実際にシフトする。狙いとすることは、二次色に近い色を純粋な二次色に更に近づけることである。たとえば、
【００１７】
【数３】
2007524298.tif 000005
図２には、この色相のエンハンスメント関数のプロットが示されている。先に与えられた関数は例示的である。実際のブーストは、画像への知覚される影響の更に大きな検査により決定される。係数は、知覚の研究により調整される。関数は、二次色の領域に近いブーストの狙いが保持される限り、変化することができる。ビデオデータの固定されたポイントの処理と更に互換性のある関数が置き換えられる可能性がある。
【００１８】
アルゴリズムは、変化を殆どつくるはずがなく、フレッシュなトーンが示される。また、アルゴリズムは、赤／オレンジ領域における変化を低減するために変化される場合がある。したがって、ブースト関数の幅及び振幅は、シアン、マゼンダ及び黄色の３つの領域で異なって適合される。
【００１９】
これらの方法のうちの１以上の１つ又は組み合わせが使用される場合がある。これらの方法は、１つのみ、又は１を超える二次色をエンハンスするために適用される場合がある。影響は、重みファクタの選択により１以上の特定の二次色について大きくなる場合がある。
【００２０】
他の実施の形態、実施の形態のバリエーション、及び等価な構成は、本発明の他の態様、目的及び利点と同様に、当業者にとって明らかとなり、図面、開示及び特許請求の範囲を調べることで得ることができる。
【図面の簡単な説明】
【００２１】
【図１】本発明の例示的な実施の形態に係る入力の色相及び飽和値の関数として増加された飽和信号のプロットである。
【図２】本発明の例示的な実施の形態における二次色の領域の拡張における色相エンハンスメント関数のプロットである。
【図１】
2007524298.tif 000006
【図２】
2007524298.tif 000007
【国際調査報告】
2007524298.tif 000008
2007524298.tif 000009
2007524298.tif 000010